(57)【要約】  本発明は、近位端部および遠位端部を備えた細長い本体を含むケージホルダに関し、細長い本体は、近位端部から遠位端部に伸びている。ケージホルダは、細長い本体を通って近位端部から遠位端部までエネルギを中心に移動させる手段を更に含むことを特徴とする。【選択図】  図８
2021514697.tif 000002
【特許請求の範囲】
【請求項１】
ケージホルダ（１）において、
近位端部（５）および遠位端部（７）を備える細長い本体（３）であって、前記細長い本体（３）は、前記近位端部（５）から前記遠位端部（７）に伸び、前記ケージホルダは、
前記細長い本体（３）を通って前記近位端部（５）から前記遠位端部（７）までエネルギを中心に移動させる為の手段を更に含み、前記手段（９）は、前記細長い本体（３）によって少なくとも部分的に囲まれていることを特徴とする、ケージホルダ（１）。
【請求項２】
エネルギを移動させる為の前記手段（９）は、前記ケージホルダ（１）の縦方向で、前記ケージホルダ（１）を通って、エネルギを中心に移動させる、請求項１に記載のケージホルダ（１）。
【請求項３】
エネルギを移動させる為の前記手段（９）は、前記ケージホルダ（１）の近位端部（１１）から前記ケージホルダ（１）の遠位端部（１５）までの前記ケージホルダの縦方向で、前記ケージホルダ（１）を通って、エネルギを中心に移動させるように構成されている、請求項２に記載のケージホルダ（１）。
【請求項４】
エネルギを移動させる為の前記手段（９）は、前記ケージホルダ（１）の前記近位端部（１１）の外側末端から、前記ケージホルダ（１）の前記遠位端部の外側末端まで、前記ケージホルダの縦方向で、前記ケージホルダ（１）を通って、エネルギを中心に移動させるように構成されている、請求項３に記載のケージホルダ（１）。
【請求項５】
エネルギを中心に移動させる前記手段（９）は、遠位端部（１５）で、ケージ保持またはケージ取り付け手段（１７）を含む、請求項１〜４のいずれか一項に記載のケージホルダ（１）。
【請求項６】
エネルギを中心に移動させる前記手段（９）は、前記細長い本体（３）の前記近位端部（５）から前記細長い本体（３）の前記遠位端部（７）に伸びる部材（９）を含み、前記部材（９）は、第１材料から成り、または、第１材料を備え、前記細長い本体（３）は、前記第１材料とは異なる第２材料から成り、または、前記第２材料を備える、請求項１〜５のいずれか一項に記載のケージホルダ（１）。
【請求項７】
前記第１材料は、前記第２材料より高い材料密度を有する、請求項１〜６のいずれか一項に記載のケージホルダ（１）。
【請求項８】
前記部材（９）は、前記細長い本体（３）より高い剛性または低い可撓性を有する、請求項６または７に記載のケージホルダ（１）。
【請求項９】
エネルギを中心に移動させる前記手段（９）は、前記細長い本体（３）の前記近位端部（５）から前記遠位端部（７）に伸びるチューブ（９）を含む、請求項１〜８のいずれか一項に記載のケージホルダ（１）。
【請求項１０】
エネルギを中心に移動させる前記手段（９）は、前記ケージホルダの近位端部（１１）から前記ケージホルダ（１）の遠位端部（１５）に伸びるチューブ（９）を含む、請求項１〜９のいずれか一項に記載のケージホルダ（１）。
【請求項１１】
前記チューブ（９）は、前記ケージホルダの前記近位端部（１１）の外側末端から前記ケージホルダの前記遠位端部（１５）の外側末端に伸びる、請求項１０に記載のケージホルダ（１）。
【請求項１２】
前記細長い本体（３）は、前記チューブ（９）が内部に配置および／または保持される通路を区切る、請求項１〜１１のいずれか一項に記載のケージホルダ（１）。
【請求項１３】
前記通路は、前記細長い本体（３）の前記近位端部（５）の外側末端から前記細長い本体（３）の前記遠位端部（７）の外側末端に伸びる、請求項１２に記載のケージホルダ（１）。
【請求項１４】
前記チューブ（９）は、中空管である、または、中空管を画成し、あるいは、前記チューブは、中空でない、中実ロッドである、請求項９〜１３のいずれか一項に記載のケージホルダ（１）。
【請求項１５】
前記チューブ（９）の外壁は、前記ケージホルダ（１）の中央縦軸（Ｌ）から少なくとも０．１ｍｍの距離に配置される、請求項９〜１４のいずれか一項に記載のケージホルダ（１）。
【請求項１６】
前記チューブ（９）の外壁は、前記ケージホルダ（１）の中央縦軸（Ｌ）から、０．５ｍｍ〜５ｍｍの距離に配置される、請求項９〜１５のいずれか一項に記載のケージホルダ（１）。
【請求項１７】
前記ケージホルダの前記中央縦軸（Ｌ）は、前記ケージホルダ（１）および／または前記細長い本体（３）の幾何学的中心または対称中心に配置される、請求項１５または１６に記載のケージホルダ（１）。
【請求項１８】
前記細長い本体（３）を通って前記近位端部（５）から前記遠位端部（７）までエネルギを中心に移動させる前記手段（９）は、前記ケージホルダ（１）内に取り外せるように保持される細長いシャフト（１９）を更に含む、請求項１〜１７に記載のケージホルダ（１）。
【請求項１９】
前記細長いシャフト（１９）は、前記ケージホルダの前記近位端部（１１）の外側末端から前記ケージホルダの前記遠位端部（１５）の外側末端まで、前記ケージホルダ（１）内部を移動できるように摺動するように構成されている、請求項１８に記載のケージホルダ（１）。
【請求項２０】
前記細長いシャフト（１９）は、前記チューブ（９）によって受容されるように構成され、あるいは、前記チューブ（９）によって取り外せるように保持される、請求項９〜１９のいずれか一項に記載のケージホルダ（１）。
【請求項２１】
前記細長いシャフト（１９）は、前記チューブ（９）の近位端部の外側末端から前記チューブ（９）の遠位端部（１５）の外側末端まで前記チューブ内部で移動できるように摺動するように構成されている、請求項２０に記載のケージホルダ（１）。
【請求項２２】
前記細長いシャフト（１９）が中実ロッドまたは中空のロッド又はシャフトである、請求項１８〜２１のいずれか一項に記載のケージホルダ（１）。
【請求項２３】
前記細長いシャフト（１９）は、第１端部でノブ（２１）を含む、請求項１８または２２に記載のケージホルダ（１）。
【請求項２４】
前記細長いシャフト（１９）は、第２端部でケージ保持またはケージ取付け手段（２３）を含む、請求項１８〜２３のいずれか一項に記載のケージホルダ（１）。
【請求項２５】
前記ケージホルダ（１）の前記遠位端部（１５）は、脊椎ケージを保持または取り付けるように構成される、請求項１〜２４のいずれか一項に記載のケージホルダ（１）。
【請求項２６】
前記細長い本体（３）は、ハンドル（８Ａ）を含み、前記細長い本体（１３）の前記近位端部（５）は、前記ハンドル（８Ａ）に配置される、請求項１〜２５のいずれか一項に記載のケージホルダ（１）。
【請求項２７】
前記ケージホルダ（１）は、脊椎ケージホルダである、請求項１〜２６のいずれか一項に記載のケージホルダ（１）。
【請求項２８】
エネルギを中心に移動させる為の前記手段（９）は、機械エネルギを移動させるように構成される、請求項１〜２７のいずれか一項に記載のケージホルダ（１）。
【請求項２９】
前記手段（９）は、前記細長い本体の前記近位端部（５）から前記遠位端部（７）まで、前記細長い本体（３）の全長を通って、中心にエネルギを移動させるように構成される、請求項１〜２８のいずれか一項に記載のケージホルダ（１）。
【請求項３０】
前記細長い本体（３）は可塑物を備え、または、可塑物から成り、前記細長い本体（３）又は前記部材（９）又は前記チューブ（９）を通って前記近位端部から前記遠位端部までエネルギを中心に移動させる前記手段は、金属を備える、または、金属から成る、請求項１〜２９のいずれか一項に記載のケージホルダ（１）。
【請求項３１】
前記細長いシャフト（１９）は、金属を備え、または、金属からなる、請求項１８〜３０のいずれか一項に記載のケージホルダ（１）。
【請求項３２】
請求項１〜３０のいずれか一項に記載のケージホルダ（１）を含む、器具キット。
【発明の詳細な説明】
【発明の分野】
【０００１】
本発明は、ケージホルダに関し、より具体的には、脊椎ケージホルダに関する。この装置は、たとえば、脊椎の２つ以上の椎骨間の脊椎融合の為の使用される脊椎ケージを扱う又は操作する為に使用することができる。
【０００２】
【背景】
【０００３】
患者の椎骨間に脊椎ケージを挿入または配置している間、しばしば、ケージを椎骨間の所望の位置に押し込む必要があり、そのため、たとえば、脊椎ケージが取り付けられたケージホルダの端部にハンマーで打つことによって加えられる機械的力のような力を必要とする。
【０００４】
既知のケージホルダは、脊椎ケージの正しい配置または位置決めを達成するためにケージホルダに加えられる力を繰り返して加える必要があるので、外科的手順を複雑にし、または、外科医または患者が負傷する危険性が高くなる。WO2015162514は、脊椎ケージの一例を開示する。
【０００５】
【概要】
【０００６】
本発明は、前述した不便を克服するケージホルダを提供することを目的とする。特に、本発明の目的は、そのような力を繰り返して加えることを避け、少なくとも最小限に抑えることである。
【０００７】
そのため、本発明は、近位端部および遠位端部を備えた細長い本体であって、細長い本体が近位端部から遠位端部に伸びる、細長い本体と、細長い本体を通って近位端部から遠位端部にエネルギを中央に移動させる手段と、を含むケージホルダである。
【０００８】
エネルギを中央に移動させる手段は、細長い本体（３）によって少なくとも部分的に囲まれてもよい。
【０００９】
本発明によるケージホルダは、都合の良いことに、ケージホルダを通って近位端部から遠位端部までエネルギを中央に移動させる為の手段を含む。これにより、機械的エネルギがケージホルダの中核を通って導かれ、エネルギの効率的な伝達の為にケージに直接案内されることが可能になるので、力を繰り返して加える必要がなくなり、または、少なくとも力を最小限に抑えられることが保証される。
【００１０】
他の有利な特徴は、従属請求項に見出すことができる。
【００１１】
本開示の態様によると、エネルギを移動させる手段は、ケージホルダを通って、ケージホルダの縦方向でエネルギを中央に移動させるように構成される。
【００１２】
本開示の他の態様によると、エネルギを移動させる為の手段は、ケージホルダの近位端部の外側末端からケージホルダの遠位端部の外側末端にケージホルダの縦方向でケージホルダを通ってエネルギを中央に移動させるように構成されている。
【００１３】
本開示の他の態様によると、エネルギを中央に移動させる為の手段は、遠位端部におけるケージ保持またはケージ取付け手段を含む。
【００１４】
本開示の態様によると、エネルギを中央に移動させる為の手段は、細長い本Ｔ内の近位端部から遠位端部に伸びる部材を含み、この部材は、第１材料を備え、又は、第１材料から成り、細長い本体は、第１材料とは異なる第２材料を備え、又は、第２材料から成る。
【００１５】
本開示の態様によると、第１材料は、第２材料より高い材料密度を有する。
【００１６】
本開示の他の態様によると、部材は、細長い本体より、高い剛性または低い可撓性を有する。
【００１７】
本開示の他の態様によると、エネルギを中央に移動させる手段は、細長い本体の近位端部から遠位端部に伸びるチューブを含む。
【００１８】
本開示の他の態様によると、エネルギを中央に移動させる手段は、ケージホルダの近位端部からケージホルダの遠位端部に伸びるチューブを含む。
【００１９】
本開示の他の態様によると、ケージホルダの近位端部の外側末端からケージホルダの遠位端部の外末端にチューブが伸びる。
【００２０】
本開示の他の態様によると、細長い本体は、チューブが内部に配置および／または保持される通路を区切る。
【００２１】
本開示の他の態様によると、通路は、細長い本体の近位端部の外側末端から細長い本体の遠位端部の外側末端に伸びている。
【００２２】
本開示の他の態様によると、チューブは中空管であり、又は、中空管を画成し、あるいは、チューブは中空でない、中実管または中実ロッドである。
【００２３】
本開示の他の態様によると、チューブの外壁は、ケージホルダの中心縦軸から少なくとも０．１ｍｍの距離に置かれている。
【００２４】
本開示の他の態様によると、チューブの外壁は、ケージホルダの中心縦軸から０．５ｍｍ〜５ｍｍの間の距離に置かれている。
【００２５】
本開示の他の態様によると、ケージホルダの中心縦軸は、ケージホルダおよび／または細長い本体の幾何学的中心または対称中心に置かれている。
【００２６】
本開示の他の態様によると、細長い本体を通って近位端部から遠位端部にエネルギを中心に移動させる手段は、ケージホルダ内で移動できるように保持された細長いシャフトを更に含む。
【００２７】
本開示の他の態様によると、細長いシャフトは、ケージホルダの近位端部の外側末端からケージホルダの遠位端部の外側末端に、ケージホルダ内部を移動できるように摺動するように構成されている。
【００２８】
本開示の他の態様によると、細長いシャフトは、チューブによって受容、又は、チューブによって取り外せるように保持されるように構成されている。
【００２９】
本開示の他の態様によると、細長いシャフトは、チューブの近位端部の外側末端からチューブの遠位端部の外側末端に、チューブ内部を移動できるように摺動するように構成されている。
【００３０】
本開示の他の態様によると、細長いシャフトは、中実ロッドまたは中空のロッド又はシャフトである。
【００３１】
本開示の他の態様によると、細長いシャフトは、第１端部にあるノブを含む。
【００３２】
本開示の他の態様によると、細長いシャフトは、第２端部にあるケージ保持又はケージ取付け手段を含む。
【００３３】
本開示の他の態様によると、ケージホルダの遠位端部は、脊椎ケージを保持又は取り付けるように構成されている。
【００３４】
本開示の他の態様によると、細長い本体は、ハンドルを含み、細長い本体の近位端部は、ハンドルの端部に置かれている。
【００３５】
本開示の他の態様によると、ケージホルダは、脊椎ケージホルダである。
【００３６】
本開示の他の態様によると、エネルギを中心に移動させる手段は、機械的エネルギを移動させるように構成されている。
【００３７】
本開示の他の態様によると、前記手段は、細長い本体の近位端部から遠位端部に中心に、更に、細長い本体の全長を通って中心に、エネルギを移動させるように構成されている。
【００３８】
本開示の他の態様によると、細長い本体は、可塑物を備え、又は、可塑物から成り、細長い本体を通って近位端部から遠位端部にエネルギを中心に移動させる手段は、金属を備え、又は、金属から成り、さらに／または、チューブは、金属を備え、又は、金属から成る。
【００３９】
本開示の他の態様によると、細長いシャフトは、金属を備え、又は、金属から成る。
【００４０】
また、本発明は、前述したケージホルダを含む器具のキットに関する。
【図面の簡単な説明】
【００４１】
本開示の上記目的、特徴および他の利点は、添付図面と併せて、以下の詳細な説明から最も良く理解されるであろう。図１から図１１は、限定されない」本開示の例示的実施形態を示す。
【図１】図１は、本開示の例示的実施形態によるケージホルダを示す。
【図２】図２は、中央シャフトが完全に挿入された図１のケージホルダを示す。
【図３】図３は、本開示のケージホルダの近位端部の図を示す。
【図４】図４は、中央シャフトが部分的に挿入された図１のケージホルダを示す。
【図５】図５は、本開示のケージホルダの一端部におけるシャフトおよびノブを示し、存在するシャフトはケージホルダの本体から部分的に取り外されている。
【図６Ａ】図６Ａは、本開示のケージホルダの図５の末端部とは反対側の末端部を示す。
【図６Ｂ】図６Ｂは、図５のシャフトが完全に挿入された図６Ａのシャフトの同一末端部を示す。
【図７】図７は、脊椎ケージに取り付けられたケージホルダの末端部を示す。図７は、脊椎ケージに取り付けられたケージホルダの末端部を示す。
【図８】図８は、中央シャフトが存在しない本開示の例示的実施形態によるケージホルダを示す。
【図９】図９は、図８のケージホルダの（図８のＡ１−Ａ１に沿った）断面図かつ上面図を示す。
【図１０】図１０は、中央シャフトが存在する本開示の例示的実施形態によるケージホルダを示す。
【図１１】図１１は、図１０のケージホルダの（図１０のＡ−Ａに沿った）断面および上面図を示す。  本書において、可能な限り、図に共通する同一要素には、同一の参照番号を使用する。
【実施形態の詳細な説明】
【００４２】
本開示による例示的ケージホルダ１は、たとえば、図１および図２に示されている。
【００４３】
ケージホルダ１は、細長い本体３を含み、細長い本体３は、近位端部５および遠位端部７を備え、細長い本体３は、近位端部５から遠位端部７に延びている。
【００４４】
細長い本体３は、たとえば、可塑物または高分子からできており、又は、これらを備え、又は、これらから成る。細長い本体３は、たとえば、ポリ塩化ビニル（ＰＶＣ）、ポリエチレン、ポリスチル、ポリカーボネート、ポリエーテルエーテルケトン（ＰＥＥＫ），超高分子量ポリエチレン（ＵＨＭＷＰＥ）またはポリアリルアミドで作られ、又は、これらを備え、又は、これらから成る。
【００４５】
細長い本体３は、たとえば、ハンドル８Ａを含んでもよく、細長い本体３の近位端部５は、ハンドル８の端部に置かれる。また、細長い本体３は、たとえば、スリーブ８Ｂを含んでもよい。
【００４６】
ケージホルダ１は、近位端部５から遠位端部７に中心に、更に、細長い本体の全長を通って中心に、エネルギを移動させる為の手段を更に含む。エネルギを移動させる手段９は、ケージホルダの縦方向において、ケージホルダ１を通ってエネルギを中心に移動させるように構成される。エネルギを移動させる手段９は、ケージホルダ１の縦軸Ｌ（図１を参照）において、ケージホルダ１の近位端部１１からケージホルダ１の遠位端部１５に、ケージホルダを通ってエネルギを中心に移動させるように構成されている。縦方向Ｌは、細長い本体３の長さ又は拡張部に沿って、または、細長い本体３の長さまたは拡張部に対して平行に続く方向に伸びている。
【００４７】
エネルギを移動させる為の手段９は、たとえば、細長い本体３によって、部分的に又は完全に囲まれる。
【００４８】
エネルギを移動させる為の手段９は、ケージホルダ１の近位端部１１の外側末端からケージホルダ１の遠位端部１５の外側末端に、縦方向Ｌで、ケージホルダ１を通って、エネルギを中心に移動させるように構成されている。その結果、このエネルギ又は力は、ケージホルダ１の末端に置かれ又は取り付けられるときの脊椎ケージに効率良く移動され、脊椎骨間の所望の位置にケージの簡単な挿入が可能になる。
【００４９】
ケージホルダ１の遠位端部１５は、脊椎ケージを保持または取り付けるように構成されている。
【００５０】
エネルギを中心に移動させる為の手段９は、遠位端部（特に、図６を参照）において、ケージホルダ、または、ケージ保持手段、またはケージ取付け手段１７を含む。ケージ保持手段またはケージ取付け手段１７は、たとえば、一つ又は複数の突出部を含んでもよく、一つ又は複数の突出部は、ケージの対応するソケット（たとえば、図７に示されるような、たとえば、脊椎ケージ）と協働し、または、これによって受容されるように構成される。ケージは、たとえば、この突出部をケージのソケットに摺動または挿入させることによって取付け可能である。
【００５１】
この手段９は、コアまたは中心部材であり、又は、これを含むことができ、このコアまたは中心部材は、ケージホルダ内で中心に置かれ、ケージホルダ１の近位端部１１から遠位端部１５に伸びている。コア又は中心部材は、ケージホルダ１の近位端部１１から遠位端部１５に、ケージホルダ１のコア内で、エネルギを中心に移動または案内するように構成されている。近位端部１１に加えられた機械的エネルギは、ケージホルダのコアを通って、近位端部に導かれる。装置の中心でない区域におけるエネルギの分散または喪失が避けられ、最適量のエネルギがケージに移動可能である。
【００５２】
エネルギを中心に移動させる為の手段９は、細長い本体３の近位端部５から遠位端部７に伸びる部材９を含む。この部材９は、第１材料を備え、又は、第１材料から成り、細長い本体３は、第２材料を備え、又は、第２材料から成り、好ましい実施形態において、第２材料は第１材料とは異なる。あるいは、第１材料と第２材料は、同一の材料でもよい。
【００５３】
第１材料は、たとえば、第２材料より、高い材料密度を有してもよい。代替または追加で、この部材９は、細長い本体３より高い剛性または低い可撓性を有してもよい。
【００５４】
部材９または中心にエネルギを移動させる為の手段９（またはコア又は中心部材）は、たとえば、チューブ９を含み、又は、チューブ９である。チューブ９は、たとえば、細長い本体３によって部分的または完全に囲まれる。
【００５５】
チューブ９は、細長い本体３の近位端部５から遠位端部７に伸び、本体３の遠位端部を超えて伸びてもよい。
【００５６】
チューブ９は、ケージホルダ１の近位端部１１からケージホルダ１の遠位端部１５に伸びてもよい。チューブ９は、ケージホルダ１の近位端部１１の外側末端からケージホルダ１の遠位端部１５の外側末端に伸びてもよい。
【００５７】
細長い本体３は、通路を区切り、この通路の中には、チューブが置かれ、更に／又は、保持されている（たとえば、図３を参照）。通路は、細長い本体３の近位端部５の外側末端から細長い本体３の遠位端部７の外側末端に伸びている。
【００５８】
チューブ９は、中空管を画成してもよい。あるいは、チューブは、中空でない中実管または中実ロッドでもよい。
【００５９】
チューブ９は、たとえば、金属管でもよい。チューブ９は、ステンレス鋼、チタン、タンタル、プラチナ、パラジウム又はアルミニウムで作られ、または、ステンレス鋼、チタン、タンタル、プラチナ、パラジウム又はアルミニウムを備え、また、ステンレス鋼、チタン、タンタル、プラチナ、パラジウム又はアルミニウムから成る。
【００６０】
チューブ９は、部分的に不連続でもよいが、近位端部から遠位端部へと効率的にエネルギを移動させる為に連続して伸びることができる。
【００６１】
チューブ９は、好ましくは円筒であるが、他の形状を有してもよい。
【００６２】
チューブ９は、好ましくは、ケージホルダ１の中心縦軸Ｌの近くに置かれる。
【００６３】
チューブ９は、たとえば、ケージホルダ１の中心縦軸Ｌを囲み、あるいは、中心縦軸Ｌは、チューブを通って縦方向に伸びる。
【００６４】
チューブの外壁は、たとえば、ケージホルダ１の中心縦軸Ｌから少なくとも０．１ｍｍの距離に置かれる。
【００６５】
チューブの外壁は、たとえば、ケージホルダ１の中心縦軸Ｌから０．１ｍｍ〜５ｍｍの距離に置かれる。
【００６６】
ケージホルダ１の中心縦軸Ｌは、たとえば、ケージホルダ１および／または細長い本体３の幾何学的中心または対称中心に置かれる。
【００６７】
チューブ９の外壁は、細長い本体３内で通路を画成する細長い本体３の壁と直接接触する。
【００６８】
中心にエネルギを移動させる為の手段９は、ケージホルダ１に取り外せるように保持された細長いシャフト１９を更に含む。細長いシャフト１９は、ケージホルダの近位端部１１の外側末端からケージホルダの遠位端部１５の外側末端に、ケージホルダ内部で移動可能に摺動するように構成されている。
【００６９】
そのため、ケージホルダ１は、細長いシャフト１９または細長い中心シャフト１９（たとえば、図４を参照）を更に含むことができ、これらのシャフト１９は、エネルギを中心に移動させる為の手段、たとえば、部材またはチューブ９によって受容されるように構成されている。そのような場合、チューブ９は中空である。
【００７０】
細長いシャフト１９は、チューブ（９）によって受容され、チューブ９によって取り外せるように保持されるように構成される。細長いシャフト１９は、チューブ９の近位端部の外側末端からチューブ９の遠位端部の外側末端に、チューブ９内部を移動可能に摺動するように構成されている。
【００７１】
細長いシャフト１９は、たとえば、中実ロッドまたは中空シャフトでもよい。シャフト１９は、たとえば、ステンレス鋼またはチタンまたはタンタルまたはプラチナまたはパラジウムまたはアルミニウムで作られ、或いは、たとえば、ステンレス鋼またはチタンまたはタンタルまたはプラチナまたはパラジウムまたはアルミニウムを備え、或いは、たとえば、ステンレス鋼またはチタンまたはタンタルまたはプラチナまたはパラジウムまたはアルミニウムから成る。
【００７２】
細長いシャフトは、エネルギの効率的な移動のため、中にぴったりと適合するように、たとえば、上記手段（チューブ）９に対して相補的形状を有する。
【００７３】
細長いシャフト１９は、第１端部に、ノブ２１を含んでもよい。細長いシャフト１９は、第２端部に、ケージ保持手段またはケージ取付け手段２３を含んでもよい。第２端部は、第１端部の反対側にある。
【００７４】
ケージ保持手段又はケージ取付け手段２３は、たとえば、ネジ付き末端部または突出部を含むことができ、これは、ケージの対応したソケットまたはネジ付きソケット（たとえば、図７の左側に示されるようなケージ）と協働し、あるいは、それらによって受容されるように構成されている。
【００７５】
力は、たとえば、ノブ２１を経てシャフト１９に加えられ、エネルギは、シャフト１９およびチューブ９の両方を経てケージホルダ１の近位端部から遠位端部に移動されてもよい。そのため、中心にエネルギを移動させる為の手段は、シャフト９を追加で含んでもよい。
【００７６】
ケージホルダは、器具キットの一部でもよい。
【００７７】
本発明は、一定の好ましい実施形態を参照して開示されているが、本発明の領域および範囲から逸脱することなく、説明された実施形態およびその均等物に対する多数の変形、改変、変更が可能である。説明された実施形態の一つの特徴は、説明された実施形態の他の実施形態に含まれてもよい。したがって、本発明は、説明された実施形態に限定されるものではなく、添付の特許請求の範囲の文言に従った最も広い合理的な解釈が与えられることが意図されている。
【図１】
2021514697.tif 000003
【図２】
2021514697.tif 000004
【図３】
2021514697.tif 000005
【図４】
2021514697.tif 000006
【図５】
2021514697.tif 000007
【図６Ａ】
2021514697.tif 000008
【図６ｂ】
2021514697.tif 000009
【図７】
2021514697.tif 000010
【図８】
2021514697.tif 000011
【図９】
2021514697.tif 000012
【図１０】
2021514697.tif 000013
【図１１】
2021514697.tif 000014
【手続補正書】
【提出日】令和2年10月14日(2020.10.14)
【手続補正１】
【補正対象書類名】特許請求の範囲
【補正対象項目名】全文
【補正方法】変更
【補正の内容】
【特許請求の範囲】
【請求項１】
ケージホルダにおいて、
近位端部および遠位端部を備える細長い本体であって、前記細長い本体は、前記近位端部から前記遠位端部に伸び、前記ケージホルダは、
前記細長い本体を通って前記近位端部から前記遠位端部までエネルギを中心に移動させる為の手段を更に含み、前記手段は、前記細長い本体によって少なくとも部分的に囲まれていることを特徴とする、ケージホルダ。
【請求項２】
エネルギを移動させる為の前記手段は、前記ケージホルダの前記近位端部の外側末端から、前記ケージホルダの前記遠位端部の外側末端まで、前記ケージホルダの縦方向で、前記ケージホルダを通って、エネルギを中心に移動させるように構成されている、請求項１に記載のケージホルダ。
【請求項３】
エネルギを中心に移動させる前記手段は、前記細長い本体の前記近位端部から前記細長い本体の前記遠位端部に伸びる部材を含み、前記部材は、第１材料から成り、または、第１材料を備え、前記細長い本体は、前記第１材料とは異なる第２材料から成り、または、前記第２材料を備える、請求項１〜２のいずれか一項に記載のケージホルダ。
【請求項４】
前記第１材料は、前記第２材料より高い材料密度を有する、請求項３に記載のケージホルダ。
【請求項５】
前記部材は、前記細長い本体より高い剛性または低い可撓性を有する、請求項４または５に記載のケージホルダ。
【請求項６】
エネルギを中心に移動させる前記手段は、前記細長い本体の前記近位端部から前記遠位端部に伸びるチューブを含む、請求項１〜５のいずれか一項に記載のケージホルダ。
【請求項７】
エネルギを中心に移動させる前記手段は、前記ケージホルダの近位端部から前記ケージホルダの遠位端部に伸びるチューブを含む、請求項１〜６のいずれか一項に記載のケージホルダ。
【請求項８】
前記チューブは、前記ケージホルダの前記近位端部の外側末端から前記ケージホルダの前記遠位端部の外側末端に伸びる、請求項７に記載のケージホルダ。
【請求項９】
前記細長い本体は、前記チューブが内部に配置および／または保持される通路を区切る、請求項１〜８のいずれか一項に記載のケージホルダ。
【請求項１０】
前記通路は、前記細長い本体の前記近位端部の外側末端から前記細長い本体の前記遠位端部の外側末端に伸びる、請求項９に記載のケージホルダ。
【請求項１１】
前記チューブは、中空管である、または、中空管を画成し、あるいは、前記チューブは、中空でない、中実ロッドである、請求項６〜１０のいずれか一項に記載のケージホルダ。
【請求項１２】
前記チューブの外壁は、前記ケージホルダの中央縦軸から少なくとも０．１ｍｍの距離に配置される、請求項６〜１１のいずれか一項に記載のケージホルダ。
【請求項１３】
前記チューブの外壁は、前記ケージホルダの中央縦軸から、０．５ｍｍ〜５ｍｍの距離に配置される、請求項６〜１２のいずれか一項に記載のケージホルダ。
【請求項１４】
前記細長い本体を通って前記近位端部から前記遠位端部までエネルギを中心に移動させる前記手段は、前記ケージホルダ内に取り外せるように保持される細長いシャフトを更に含む、請求項１〜１３に記載のケージホルダ。
【請求項１５】
前記細長いシャフトは、前記ケージホルダの前記近位端部の外側末端から前記ケージホルダの前記遠位端部の外側末端まで、前記ケージホルダ内部を移動できるように摺動するように構成されている、請求項１４に記載のケージホルダ。
【請求項１６】
前記細長いシャフトは、前記チューブによって受容されるように構成され、あるいは、前記チューブによって取り外せるように保持される、請求項６〜１５のいずれか一項に記載のケージホルダ。
【請求項１７】
前記細長いシャフトが中実ロッドまたは中空のロッド又はシャフトである、請求項１４〜１６のいずれか一項に記載のケージホルダ。
【請求項１８】
前記手段は、前記細長い本体の前記近位端部から前記遠位端部まで、前記細長い本体の全長を通って、中心にエネルギを移動させるように構成される、請求項１〜１７のいずれか一項に記載のケージホルダ。
【請求項１９】
前記細長い本体は可塑物を備え、または、可塑物から成り、
前記細長い本体又は前記部材又は前記チューブを通って前記近位端部から前記遠位端部までエネルギを中心に移動させる前記手段は、金属を備える、または、金属から成る、請求項１〜１８のいずれか一項に記載のケージホルダ。
【請求項２０】
前記細長いシャフトは、金属を備え、または、金属からなる、請求項１４〜１９のいずれか一項に記載のケージホルダ。
【国際調査報告】
2021514697.tif 000015
2021514697.tif 000016
2021514697.tif 000017